(57)【要約】【課題】  従来の壁掛け用ラックは、石膏ボード等のように壁面の強度が低い場合、壁の内部にある下地材としてのスタッドにネジや釘等で固定する必要があり、ラックの設置位置が制限されてしまう課題があった。【解決手段】  本発明の薄型テレビ用スタンド１０は、薄型テレビ５０の荷重を支える一組の支柱１２ａ、１２ｂと、一組の支柱１２ａ、１２ｂを各々壁面に掛け止めする一組のベース２０ａ、２０ｂと、一組の支柱１２ａ、１２ｂの間に架け渡される一組のクロスプレート１４ａ、１４ｂと、薄型テレビ５０の背面に穿設された図示しない取り付け穴に固定され、一組のクロスプレート１４ａ、１４ｂの各々に取り付けられる一組の横柱１６ａ、１６ｂと、を概略具備している。【選択図】図１
2014042223.tif 000002
【特許請求の範囲】
【請求項１】
薄型テレビの荷重を支える一組の支柱と、
前記一組の支柱を各々壁面に掛け止めする一組のベースと、
前記一組の支柱の間に架け渡される一組のクロスプレートと、
薄型テレビの背面に穿設された取り付け穴に固定され、前記一組のクロスプレートの各々に取り付けられる一組の横柱と、
を具備することを特徴とする薄型テレビ用スタンド。
【請求項２】
前記一組のベースは、各々壁面と垂直となる方向に突設された掛け止め部を備え、
前記一組の支柱の各々には、前記掛け止め部が係止自在に嵌め合わされる掛け受け部を備えることを特徴とする請求項１に記載の薄型テレビ用スタンド。
【請求項３】
前記一組の支柱は、床面に設置される側に架け渡される脚柱を備えることを特徴とする請求項１または請求項２に記載の薄型テレビ用スタンド。
【請求項４】
前記一組のベースは、各々壁面に固着するための固着手段を備えることを特徴とする請求項１乃至請求項３のいずれか１項に記載の薄型テレビ用スタンド。
【請求項５】
前記固着手段は接着テープであることを特徴とする請求項４に記載の薄型テレビ用スタンド。
【発明の詳細な説明】
【技術分野】
【０００１】  本発明は、薄型テレビを壁面に取り付ける薄型テレビ用スタンドに関する。
【背景技術】
【０００２】  液晶テレビ、プラズマテレビや有機ＥＬテレビ等のいわゆる薄型テレビは、従来のブラウン管に比べて、画面に垂直な方向の厚みが非常に薄く、大画面であっても機器そのものの奥行きが薄く場所を取らないという利点がある。このような薄型テレビの特徴を生かし、室内の省スペースとインテリア姓の向上を実現するために、金具や壁掛け用ラックなどによる壁掛けが行われている。【０００３】  例えば、特許文献１には、石膏ボード等の取り付け強度の得られない壁体を補強することで、重量物としての薄型テレビを取り付けられるようにする下地材が開示されている。【０００４】  また、特許文献２には、左右２本の縦フレームを複数本の横繋ぎ材で連結し、左右２本の縦フレーム間にブラケットを介して上下２本の横フレームを架設し、左右２本の縦フレーム間に化粧パネルを取り付け、化粧パネルで横繋ぎ材を覆い隠し、横フレームの下方に棚板を設けた壁掛け用ラックが開示されている。
【先行技術文献】
【特許文献】
【０００５】
【特許文献１】  特開２０１０−１８５２５４号公報
【特許文献２】  特開２００６−２８７５６２号公報
【発明の概要】
【発明が解決しようとする課題】
【０００６】  しかしながら、特許文献１に開示されるような下地材は、専門の業者にしか施工工事を行うことができないばかりでなく、コンクリート壁には適用することができない課題があった。【０００７】  また、特許文献２に開示される壁掛け用ラックは、石膏ボード等のように壁面の強度が低い場合、壁の内部にある下地材としてのスタッドにネジや釘等で固定する必要があり、ラックの設置位置が制限されてしまう課題があった。【０００８】  また、特許文献２に開示される壁掛け用ラックでは、単にフック金具を横フレームに掛止することにより薄型テレビを横フレームから吊り下げているので、不用意に薄型テレビを持ち上げるとフック金具が横フレームから外れ、薄型テレビが落下するおそれがあった。
【課題を解決するための手段】
【０００９】  この発明の目的は、上述した事情に鑑みなされたもので、この発明の主たる目的は、設置位置の自由度が大きい薄型テレビ用スタンドを提供しようとするものである。【００１０】  また、この発明の別の目的は、壁面に取り付けた薄型テレビの落下や転倒を確実に防止できる薄型テレビ用スタンドを提供しようとするものである。【００１１】  上述した課題を解決し、目的を達成するため、この発明に係わる薄型テレビ用スタンドは、請求項１の記載によれば、薄型テレビの荷重を支える一組の支柱と、前記一組の支柱を各々壁面に掛け止めする一組のベースと、前記一組の支柱の間に架け渡される一組のクロスプレートと、薄型テレビの背面に穿設された取り付け穴に固定され、前記一組のクロスプレートの各々に取り付けられる一組の横柱と、を具備することを特徴とする。【００１２】  また、この発明に係わる薄型テレビ用スタンドは、請求項２の記載によれば、前記一組のベースは、各々壁面と垂直となる方向に突設された掛け止め部を備え、前記一組の支柱の各々には、前記掛け止め部が係止自在に嵌め合わされる掛け受け部を備えることを特徴とする。【００１３】  また、この発明に係わる薄型テレビ用スタンドは、請求項３の記載によれば、前記一組の支柱は、床面に設置される側に架け渡される脚柱を備えることを特徴とする。【００１４】  また、この発明に係わる薄型テレビ用スタンドは、請求項４の記載によれば、前記一組のベースは、各々壁面に固着するための固着手段を備えることを特徴とする。【００１５】  また、この発明に係わる薄型テレビ用スタンドは、請求項５の記載によれば、前記固着手段は接着テープであることを特徴とする。
【発明の効果】
【００１６】  この発明によれば、壁面によらずに取り付け可能で、設置位置も自由に選択可能な薄型テレビ用スタンドを提供することができる。【００１７】  また、この発明によれば、壁面に取り付けた薄型テレビの落下や転倒を確実に防止できる薄型テレビ用スタンドを提供することができる。
【図面の簡単な説明】
【００１８】
【図１】  本発明の薄型テレビ用スタンドの正面図
【図２】  本発明の薄型テレビ用スタンドの側面図
【図３】  本発明の薄型テレビ用スタンドの支柱とクロスプレートを示す図
【図４】  本発明の薄型テレビ用スタンドの横柱を示す図
【図５】  本発明の薄型テレビ用スタンドのベースと掛け止め部を示す断面図
【図６】  本発明の薄型テレビ用スタンドのベースと掛け止め部を示す断面図
【発明を実施するための形態】
【実施例】
【００１９】  以下に図面を用いて本発明の実施例を説明する。なお、この実施例において、薄型テレビは液晶テレビ、プラズマテレビや有機ＥＬテレビに限定されるものではなく、例えば、パソコン用液晶モニターはもちろん、壁面に取り付けたい機器や装置、または什器等にも適用可能である。【００２０】  以下に、図１乃至図６を用いて、本発明の薄型テレビ用スタンド１０を説明する。図１は、薄型テレビ５０を背面から見た図であり、本発明の薄型テレビ用スタンド１０の正面図である。図２は、薄型テレビ用スタンド１０の側面図である。図３は、薄型テレビ用スタンド１０の支柱とクロスプレートを示す図である。図４は、薄型テレビの背面に取り付けられた横柱を示す図である。図５及び図６は、本発明の薄型テレビ用スタンドのベースと掛け止め部を薄型テレビの前側（画面側）からみた断面図であり、図５が支柱がベースに掛け止められた状態、図６が支柱のベースへの掛け止めが解除された状態を示す図である。【００２１】  本発明の薄型テレビ用スタンド１０は、薄型テレビ５０の荷重を支える一組の支柱１２ａ、１２ｂと、一組の支柱１２ａ、１２ｂを各々壁面に掛け止めする一組のベース２０ａ、２０ｂと、一組の支柱１２ａ、１２ｂの間に架け渡される一組のクロスプレート１４ａ、１４ｂと、薄型テレビ５０の背面に穿設された図示しない取り付け穴に固定され、一組のクロスプレート１４ａ、１４ｂの各々に取り付けられる一組の横柱１６ａ、１６ｂと、を概略具備し、一組の支柱１２ａ、１２ｂは、その床面に設置される側に架け渡される脚柱１８を備えている。【００２２】  一組の支柱１２ａ、１２ｂは、各々の一端が床面に載置され、他端の側に一組のクロスプレート１４ａ、１４ｂが架け渡されている。また、一端の側となる床面に設置される側には脚柱１８が架け渡されている。【００２３】  この一組の支柱１２ａ、１２ｂと一組のクロスプレート１４ａ、１４ｂと脚柱１８は、図３に示すように井桁形状となるようにボルト・ナットやネジ等で組み立てられており、後述する薄型テレビ５０を壁面に取り付ける際の基本形状となっている。【００２４】  また、薄型テレビ５０の背面には、壁掛け金具等で壁面に取り付ける為の取り付け穴が穿設されており、図４に示すとおり、一組の横柱１６ａ、１６ｂは、該取り付け穴にネジ等で固定される。この薄型テレビ５０の背面に一組の横柱１６ａ、１６ｂを固定する作業は、後述するように、一組の支柱１２ａ、１２ｂと一組のクロスプレート１４ａ、１４ｂと脚柱１８とを井桁形状に組み立てる作業とは別に行われる。【００２５】  一組のベース２０ａ、２０ｂは、一方の側となる壁面側に向かって壁面に固着するための固着手段２２を備え、他方の側となる一組の支柱１２ａ、１２ｂの側に各々壁面と垂直となる方向に突設された掛け止め部２４を備えている。【００２６】  固着手段２２は、図１、図５及び図６に示す通り、一組のベース２０ａ、２０ｂの各々に４個ずつ設けられ、一方の面に接着テープを有し、他方の面の側に鍔部を有する円筒部材となっている。また、一組のベース２０ａ、２０ｂの各々には、壁面に垂直となる方向に、その直径が該鍔部の直径よりも小さく該円筒部材の直径より大きい図示しない��通穴が４カ所設けられている。【００２７】  一組のベース２０ａ、２０ｂの壁面への固定は、固着手段２２を接着テープが設けられた側から貫通穴に挿通し、鍔部がベースに当接した状態で接着テープを壁面に接着することで行う。なお、この一組のベース２０ａ、２０ｂの壁面への固定方法は、本願出願人による登録となった先の特許出願（特許第４９９８８６８号公報）に示す構成と同様である。【００２８】  掛け止め部２４は、図５及び図６に示す通り、一組のベース２０ａ、２０ｂの各々２個ずつ設けられており、その構成は同一となっている。具体的にはベースに立設される掛け止め軸部２４ａと掛け止め軸部２４ａの端部側の周囲に配置された衝撃吸収機能を有する弾性部２４ｂとしてのゴムとなっている。【００２９】  また、図５及び図６に示すとおり、一組の支柱１２ａ、１２ｂの内部には各々掛け止め部２４が係止自在に嵌め合わされる掛け受け部１７が備えられている。この掛け受け部１７は、支柱１２の内部に設けられた板状部材であり、支柱１２の軸方向（床面に垂直な方向）にスライド可能に配置されている。また、掛け受け部１７の一端の側には支柱１２の外部に突出する取っ手部１７ａが設けられ、他端の側には掛け止め部２４が嵌め合わされる２個の掛け受け穴１７ｂが設けられている。【００３０】  また、掛け受け穴１７ｂは、掛け受け部１７のスライド方向に長穴となっている。具体的には、下方（床面に近い側）に設けられ、弾性部２４ｂの直径より大きな直径の穴と、上方（取っ手部１７ａに近い側）に設けられ、弾性部２４ｂの直径より小さな直径の穴とが接続した長穴となっている。【００３１】  このような構成を有する掛け止め部２４と掛け受け部１７とで一組の支柱１２ａ、１２ｂを一組のベース２０ａ、２０ｂに掛け止めする手順は以下の通りとなる。【００３２】  最初に、取っ手部１７ａを持ち、掛け受け部１７を上方（床面に遠い側）にスライドさせる。この状態を維持したまま、一組の支柱１２ａ、１２ｂを壁面に立てかけ、２カ所の掛け受け穴１７ｂに弾性部２４ｂを挿通する。次に取っ手部１７ａを持ち、掛け受け部１７を下方（床面に近い側）にスライドさせて、掛け止め部２４を掛け受け穴１７ｂに係止する。【００３３】  なお、掛け止めを解除するには、上記の手順を逆に行えばよい。このように、掛け受け部１７がスライド自在となっているので、掛け止め部２４は掛け受け穴１７ｂに係止自在に嵌め合わされることになる。【００３４】  以上のような構成を有する本発明の薄型テレビ用スタンド１０により薄型テレビ５０を壁面に立てかけて固定する手順を以下に説明する。【００３５】  最初に、図４に示すとおり、一組の横柱１６ａ、１６ｂを薄型テレビ５０の背面に穿設された取り付け穴にネジ等で固定する。次にクロスプレート１４ａを横柱１６ａにネジ等で仮止めし、同様にクロスプレート１４ｂを横柱１６ｂにネジ等で仮止めする。【００３６】  次に、この状態を維持したまま、クロスプレート１４ａ、１４ｂに支柱１２ａと支柱１２ｂをネジ等で固定し、続けて脚柱１８を一組の支柱１２ａ、１２ｂの間に取り付ける。【００３７】  次に、クロスプレート１４ａ、１４ｂの横柱１６ａ、１６ｂへの仮止めを解除し、図３のよう���井桁形状に組み立てられた一組の支柱１２ａ、１２ｂと一組のクロスプレート１４ａ、１４ｂと脚柱１８とを横柱１６ａ、１６ｂから取り外す。【００３８】  次に取り外した一組の支柱１２ａ、１２ｂと一組のクロスプレート１４ａ、１４ｂと脚柱１８を壁面に立てかける。次に取っ手部１７ａを持って掛け受け部１７を上方（床面に遠い側）にスライドさせる。この状態で、掛け受け穴１７ｂの長穴の弾性部２４ｂの直径より大きな直径の穴に弾性部２４ｂが嵌め合うようにベース２０ａ、２０ｂの位置を合わせる（図５の状態）。【００３９】  次に、ベース２０ａ、２０ｂに各々４カ所設けられた貫通穴に、固着手段２２を接着テープが設けられた側から鍔部がベースに当接するまで挿通し、接着テープで壁面に接着して、ベース２０ａ、２０ｂを壁面に固着する。なお、ベース２０ａ、２０ｂの壁面への固着作業を容易にするために、取っ手部１７ａを持って掛け受け部１７を下方（床面に近い側）にスライドさせておいても良い。【００４０】  次に、壁面に立てかけた一組の支柱１２ａ、１２ｂと一組のクロスプレート１４ａ、１４ｂと脚柱１８を壁面から外し、一組の横柱１６ａ、１６ｂの各々に一組のクロスプレート１４ａ、１４ｂをネジ等で固着する。【００４１】  次に、一組の横柱１６ａ、１６ｂの一組のクロスプレート１４ａ、１４ｂへの固着により、薄型テレビが固定された一組の支柱１２ａ、１２ｂ、一組のクロスプレート１４ａ、１４ｂ、脚柱１８及び一組の横柱１６ａ、１６ｂを、一組の支柱１２ａ、１２ｂの床面側の端部を回転中心にして持ち上げ、掛け受け穴１７ｂに弾性部２４ｂを挿通させる。【００４２】  最後に、取っ手部１７ａを持って掛け受け部１７を下方（床面に近い側）にスライドさせて、掛け止め部２４を掛け受け部１７に嵌め合わせ、薄型テレビ５０を壁面に掛け止めする。【００４３】  なお、上述した本発明の薄型テレビ用スタンド１０では、一組のベース２０ａ、２０ｂの壁面への固着に接着テープを使用すると説明したが、この方法に限らず、ネジ止め等で固着しても良いことは説明するまでもない。【００４４】  また、薄型テレビが固定された一組の支柱１２ａ、１２ｂ、一組のクロスプレート１４ａ、１４ｂ、脚柱１８及び一組の横柱１６ａ、１６ｂを、一組の支柱１２ａ、１２ｂの床面側の端部を回転中心にして持ち上げる際に、例えば、一組の支柱１２ａ、１２ｂの床面側の端部に上方（床面から離れる方向）に凸な形状を有する補助具を使用すると、一組の支柱１２ａ、１２ｂを端部を回転中心にして持ち上げる作業が容易になる。【００４５】  このように、本発明の薄型テレビ用スタンド１０は、薄型テレビ５０を固着する一組の横柱１６ａ、１６ｂと一組のクロスプレート１４ａ、１４ｂとを具備することにより、薄型テレビ５０が取り付けられた一組の横柱１６ａ、１６ｂと、一組の支柱１２ａ、１２ｂと一組のクロスプレート１４ａ、１４ｂと脚柱１８とからなる井桁形状とが分離可能となっているので、一組のベース２０ａ、２０ｂを壁面へ固着する際の取り付け高さ・位置の決定を精密に行うことができ、薄型テレビ用スタンド１０の壁面への掛け止めが容易となっている。【００４６】  また、本発明の薄型テレビ用スタンド１０は、例���ば特許文献１、２に開示のテレビ壁掛け用ラック等のように、そのサイズによっては非常に重い薄型テレビ５０を直接持ち上げることなく、一組の支柱１２ａ、１２ｂの床面側の端部を回転中心にして持ち上げる、即ち、薄型テレビの重量を支柱１２ａ、１２ｂで支えた状態で持ち上げるので、壁面への掛け止めが容易である。【００４７】  さらに、本発明の薄型テレビ用スタンド１０の壁面への掛け止めは接着を利用しているので、特許文献１に開示の下地材のように、専門の業者でなくとも掛け止めが可能であるとともに、壁面の強度が低い石膏ボードや、穴あけが困難なコンクリート壁にも適用可能である。【００４８】  また、本発明の薄型テレビ用スタンド１０は、掛け止め部２４が掛け受け部１７に嵌め合わせられてスライドされることで係止されているので、特許文献２に開示される壁掛け用ラックのように、不用意に薄型テレビが落下するおそれがない。【００４９】  以上のように、本発明により、壁面の種類によらずに取り付け可能で、設置位置も自由に選択可能で、かつ、薄型テレビの落下や転倒を確実に防止できる薄型テレビ用スタンドが提供可能となる。
【符号の説明】
【００５１】１０・・薄型テレビ用スタンド、１２ａ、１２ｂ・・一組の支柱、１４ａ、１４ｂ・・一組のクロスプレート、１６ａ、１６ｂ・・一組の横柱、１７・・掛け受け部、１７ａ・・取っ手部、１７ｂ・・掛け受け穴、１８・・脚柱、２０ａ、２０ｂ・・一組のベース、２２・・固着手段、２４・・掛け止め部、２４ａ・・掛け止め軸部、２４ｂ・・弾性部、５０・・薄型テレビ
【図１】
2014042223.tif 000003
【図２】
2014042223.tif 000004
【図３】
2014042223.tif 000005
【図４】
2014042223.tif 000006
【図５】
2014042223.tif 000007
【図６】
2014042223.tif 000008